【事件の表示】
　特願２０００−３０２９４４「ダンスゲーム装置、ダンスゲームのプレイ制御方法及びプレイ制御プログラムが記録されたコンピュータ読取り可能な記録媒体」拒絶査定不服審判事件〔平成１３年　６月１９日出願公開、特開２００１−１６１８７８〕について、次のとおり審決する。
【結　論】
　本件審判の請求は、成り立たない。
【理　由】
１．手続の経緯
　本願は、平成１２年１０月２日（国内優先権主張　平成１１年１０月１日）に出願したものであって、平成１６年１２月２４日付けで拒絶査定がなされ、これに対し、平成１７年１月２７日付けで拒絶査定に対する審判請求がなされたもので、その請求項１に係る発明は、平成１６年１１月１５日付け手続補正により補正された特許請求の範囲の請求項１に記載された次のとおりのものと認める。（以下「本願発明」という。）
　
「プレーヤにダンスステップの踏み動作を誘導する踏み動作誘導手段と、それぞれ踏み動作が検出可能な検出手段を備える複数の踏み部が配設された踏み用基体と、上記検出手段からの検出信号を受けて踏み動作に応じた模擬カロリー値をカロリー消費として逐次加算する模擬カロリー計算手段と、模擬カロリー計算手段により計算された値を報知する報知手段とを備え、
上記模擬カロリー計算手段は、前回と今回のステップ時における、上記複数の踏み部に対する上記検出手段からの検出信号を受けて足の運びに関する入力タイプを識別する入力タイプ識別部と、上記入力タイプに応じて重み付けされた係数Ｋの記憶部と、上記検出手段からの検出信号に基づいて得られる前回のステップ動作と今回のステップ動作との時間間隔ｔを計測するステップ間隔計測部と、ステップ動作の基準時間間隔Ｔの記憶部と、該基準時間間隔Ｔで各入力タイプのステップ動作を行ったときに消費する各基準カロリー値Ｓの記憶部と、上記係数Ｋ、基準カロリー値Ｓ、基準時間間隔Ｔ及び時間間隔ｔを用いて、踏み動作により消費されたカロリー値Ｃを、Ｃ＝Ｓ＋Ｋ（Ｔ−ｔ）により算出すると共に、直前の算出カロリー値を加算するカロリー算出部と、カロリー算出部で加算されたカロリー値をゲーム終了まで更新的に記憶する記憶部とを備えていることを特徴とするダンスゲーム装置。」
　
２．引用刊行物記載の発明
　これに対して原査定の拒絶の理由に引用された実願昭６０−８２９６６号（実開昭６１−１９６７６１号）のマイクロフィルム（以下「刊行物１」という。）には、以下の記載が図示とともにある。
　
ア．「先にトレーニングマットシステムとして以下の様なものを提案している。即ち、感圧スイッチを内蔵し、上面でのジャンプ運動を検知する事を可能にしたトレーニングマットと、前記トレーニングマット上にて運動を行うとき、その使用者に応じたジャンプ運動メニューを決定する制御手段と、この制御手段によって決定された内容を順次表示して使用者に適切なジャンプ運動を行なわせる表示手段と、前記制御手段にて運動メニューを決定するとき、その要素となるデータを入力する入力スイッチ回路と、トレーニングの開始・終了及び途中のペースメーカを行うスピーカ部とトレーニング中の経過やトレーニング終了時に使用者に対してジャンプ回数やトレーニング時間・消費カロリー、体力ランク等を前記制御手段にて演算された内容を表示する表示する表示手段によって構成されたトレーニングマットシステムである。」（第２頁第１０行〜第３頁第６行））
　
イ．「このトレーニングマットシステムは第１図に示すように構成されている。第７図において、１はマットであってこのマット１には前ａ・後ｂ・左ｃ・右ｄにジャンプするパターン２が形成されており、内部にはジャンプしたことを検出する感圧スイッチ（図示せず）が内蔵されている。」（第３頁第７行〜第１２行）
　
ウ．「２は接続線３を以ってマット１に接続されている表示・コントロールユニットである。
　この表示・コントロールユニット２には、第８図に示すように、ジャンプすべきマットの位置を表示する位置表示部４と、体重・年齢・トレーニングランク等を入力する入力用スイッチ５と、このスイッチの入力によって決定されたメニューを行っている途中に回数や時間を表示したりメニュー終了後ジャンプの正確度や反応速度を演算してメッセージ（例えば消費カロリーや体力ランク等）を表示するメッセージ表示部６と、トレーニング開始・終了及び途中のペースコントロールを音声やメロディによって報知するスピーカ７とが設けられている。  」（第３頁第８行〜第４頁第６行）
　
エ．「第９図は表示・コントロールユニット２のブロック図である。
　この第９図において、１は上記マット、２は上記表示・コントロールユニット、８は上記入力用スイッチ５によって操作される入力部、９はこの入力部８からの信号を受けて表示部６やスピーカ７に指令を出力する制御部であって、この制御部９にはマット１の感圧スイッチ（図示せず）からの出力も入力されている。
　このようなシステムにおいて、第１０図に示すように、使用者１０は上記表示・コントロールユニット２の位置表示部４により指定されたマット１上の位置へジャンプする。
　このジャンプによって第１１図に示すように、導電ゴム等で構成された電極α，βは離間しておりスイッチはＯＦＦ状態にある。」（第４頁第７行〜第５頁第２行）
　
オ．「次に第１２図に示すように使用者１０がマット１上に着地すると、体重により上記電極α，βが接触して導通状態となり、このＯＮ，ＯＦＦによってジャンプ回数や速度や位置が上記コントロールユニット内の制御部９に入力されて入力信号の演算によって適宜表示・報知が成れるようになっている。」（第５頁第３行〜第５頁第９行）
　  　
上記イ．によれば、マット１には前ａ・後ｂ・左ｃ・右ｄとして、複数のジャンプする区域が形成されており、ジャンプしたことを検出する感圧スイッチが、複数のジャンプする区域それぞれに内蔵されるものである。
   
上記ウ．における「ジャンプすべきマットの位置を表示する位置表示部４」は、使用者にジャンプ運動を誘導するものであるといえる。
  　
　上記記載及び図面を含む刊行物１全体の記載から、刊行物１には、以下の発明が開示されていると認められる。
　
「使用者にジャンプ運動を誘導する位置表示部４と、それぞれジャンプしたことを検出する感圧スイッチが内蔵される複数のジャンプする区域が設けられたマット１と、感圧スイッチからの出力が入力され、消費カロリーを演算する制御部９と、消費カロリーが表示されるメッセージ表示部６とを備えるトレーニングマットシステム。」
  　
　また、原査定の拒絶の理由に引用された特開平８−２４０４５０号公報（以下「刊行物２」という。）には、以下の記載が図示とともにある。
   
カ．「この発明では１軸方向の加速度を検出する加速度センサ又は互に交差する２軸乃至３軸方向の加速度を検出する複数の加速度センサによって構成した動作検出器と、この動作検出器で検出した１つの加速度方向又は各方向の加速度信号の組合せに応じて行動パターンを判定する行動パターン判定手段と、この行動パターン判定手段の判定結果を逐次記憶する記録手段とによって行動パターン取得装置を構成したものである。」（【０００４】）
　
キ．「更に、この発明では行動パターン取得装置に取得した行動パターンから消費カロリーを算出するカロリー演算手段とを具備して構成される運動量解析装置を提供するものである。この発明による行動パターン取得装置によれば、人間の体の行動の種類を正確に判別することができる。つまり、ゆっくり歩いている。走しっている。横になって静かにしている。階段を昇っている。階段を降りている。等を判別することができる。従ってこの行動パターンの判定結果を半導体メモリ或はその他の記録手段に記録しておくことにより、例えば１日の運動量つまり消費したカロリーを算出することができる。この算出した消費カロリーはかなり正確であり、適正な健康管理或はダイエットコントロールを達することができる。」（【０００５】）
　
ク．「記録手段１０３に記録した行動パターンは運動量解析装置２００に読み込ませる。運動量解析装置２００は行動パターン取得装置１００から読み取った行動パターンを記憶する記憶手段２０１と、カロリー演算手段２０２と、表示部２０３及び入力手段２０４とによって構成することができる。　カロリー演算手段２０２は一般にパーソナルコンピュータと呼ばれるコンピュータによって構成することができる。カロリー演算部２０２では記憶手段２０１から行動パターンを逐次読出し、行動パターンから予め決められた運動量（カロリー）に変換する。例えばゆっくり歩くは１分間当り例えば１０カロリーと定め、行動パターンがゆっくり歩くの場合は時間が１分間経過する毎に１０カロリーを積算する。また行動パターンが走るの場合は１分間当り例えば３０カロリーと定め、走る行動パターンが継続している間、１分間が経過する毎に３０カロリーを積算し、運動量に変換する。従ってカロリー演算部２０２には行動パターンに対応した運動量（カロリー）を表として用意し、行動パターンとカロリーとを対応させ、時間の経過に従ってカロリーを積算することで１日の消費カロリー（運動量）を算出することができる。」（【００１３】）
　
ケ．「１日の消費カロリーを算出すると、モニタ２０３にその算出結果を表示させる。これと共に、入力手段２０４から１日に摂取したカロリー量を入力することにより、その比を演算し、カロリー摂取量と運動量とのバランスが適正か否かを表示する。　図３はこの発明の変形実施例を示す。この例では図１に示した記録手段１０３に代えて送信手段１０４を用いた場合を示す。送信手段１０４を設けることによってリアルタイムで被観測対象の運動量を監視することができる。つまり、この場合には運動量解析装置２００側に受信手段２０５を設け、この受信手段２０５で受信した行動パターン判定結果を記憶手段２０１に記憶し、これをカロリー演算手段２０２がリアルタイムで読出しながらカロリー計算を行なうことができる。」（【００１４】）
　
　上記記載及び図面を含む刊行物２全体の記載から、刊行物２には、以下の事項が開示されていると認められる。
　
「１日の消費カロリーの計算において、人間の体の行動の種類を、歩く、走る、横たわる、階段を昇る、降りる、等、予め複数の行動パターンに分けて各行動パターンに対応したカロリーを表として用意し、検出された行動のパターンを判別し、各行動パターンに対応するカロリーを時間経過に従い積算して、１日の消費カロリー値を算出すること。」
　
　３．対比
　本願発明と刊行物１記載の発明とを比較すると、刊行物１記載の発明の「使用者」は、本願発明の「プレーヤ」に相当する。
　刊行物１記載の発明の「ジャンプ運動」も踏み動作の一種であるから、刊行物１記載の発明の「ジャンプ運動を誘導する位置表示部４」は、本願発明の「ダンスステップの踏み動作を誘導する動作誘導手段」と、踏み動作を誘導する手段として共通であり、刊行物１記載の発明の「ジャンプしたことを検出する感圧スイッチ」は、本願発明の「踏み動作が検出可能な検出手段」と、踏み動作が検出可能な検出手段として共通である。
　刊行物１記載の発明の「ジャンプする区域」とは踏み動作によって踏まれる部位であり、マット１は踏まれる基体といえるから、刊行物１記載の発明の「複数のジャンプする区域が設けられたマット１」は、本願発明の「複数の踏み部が配設された踏み用基体」と、複数の踏み部が配設された踏み用基体として共通である。
　刊行物１記載の発明の「感圧スイッチからの出力が入力され」は、本願発明の「検出手段からの検出信号を受けて」に相当し、刊行物１記載の発明の「消費カロリーが演算される制御部９」は、本願発明の「踏み動作に応じた模擬カロリー値をカロリー消費として逐次加算する模擬カロリー計算手段」と、踏み動作に応じた消費カロリーを計算するカロリー計算手段として共通である。
　刊行物１記載の発明の「消費カロリーが表示されるメッセージ表示部６」は、本願発明の「模擬カロリー計算手段により計算された値を報知する報知手段」と、カロリー計算手段により計算された値を報知する報知手段として共通である。
　刊行物１記載の発明の「トレーニングマットシステム」は、位置表示部４と、マット１と、制御部９と、メッセージ表示部６とを備えるトレーニング装置からなるものといえ、本願発明の「ダンスゲーム装置」と、装置として共通である。
　
よって両者は、
「プレーヤに踏み動作を誘導する踏み動作誘導手段と、それぞれ踏み動作が検出可能な検出手段を備える複数の踏み部が配設された踏み用基体と、上記検出手段からの検出信号を受けて踏み動作に応じた消費カロリーを計算するカロリー計算手段と、カロリー計算手段により計算された値を報知する報知手段とを備える装置。」である点で一致し、以下の点で相違する。
　
相違点１
　本願発明は、踏み動作に関し、「ダンスステップの踏み動作」と特定し、装置に関し、「ダンスゲーム装置」と特定するのに対して、刊行物１記載の発明においては、そのように各特定がされていない点。
　
相違点２
  カロリー計算手段に関し、本願発明は、「踏み動作に応じた模擬カロリー値をカロリー消費として逐次加算する模擬カロリー計算手段」と特定し、さらに「前回と今回のステップ時における、上記複数の踏み部に対する上記検出手段からの検出信号を受けて足の運びに関する入力タイプを識別する入力タイプ識別部と、上記入力タイプに応じて重み付けされた係数Ｋの記憶部と、上記検出手段からの検出信号に基づいて得られる前回のステップ動作と今回のステップ動作との時間間隔ｔを計測するステップ間隔計測部と、ステップ動作の基準時間間隔Ｔの記憶部と、該基準時間間隔Ｔで各入力タイプのステップ動作を行ったときに消費する各基準カロリー値Ｓの記憶部と、上記係数Ｋ、基準カロリー値Ｓ、基準時間間隔Ｔ及び時間間隔ｔを用いて、踏み動作により消費されたカロリー値Ｃを、Ｃ＝Ｓ＋Ｋ（Ｔ−ｔ）により算出すると共に、直前の算出カロリー値を加算するカロリー算出部と、カロリー算出部で加算されたカロリー値をゲーム終了まで更新的に記憶する記憶部とを備えている」と特定するのに対して、刊行物記載の発明はそのように特定されていない点。
　
４．当審の判断
　上記相違点１について検討する。
　本願発明において「ダンスステップの踏み動作」は、例えばダンス音楽との関係も規定されず、踏み動作として何ら具体的に限定されていない。また「ダンスゲーム装置」として、ゲーム的要素の所在が本願発明において不明であって、カロリー計算を行うことのゲーム性への寄与も不明である。
　一方、刊行物１記載の発明において、上記ウ．には、スピーカから流すメロディをペースコントロールに利用することが記載されており、メロディを伴うジャンプ運動であればダンスの一種と言えなくもなく、また、誘導された動作の正確度が評価されて報知される装置自体、ある種のゲーム的趣向を備えているともいえる。
　すると、上記相違点１は、踏み動作及び装置に関して、刊行物１記載の発明に記載のものと明確に区別するに足る具体的構成の特定を伴うものではなく、単なる呼称上の差異程度のものである。
　或いは、原査定の拒絶の理由に引用された文献「コナミ株式会社ＣＰ事業部，ダンスダンスレボリューション公式ガイド，日本，コナミ株式会社，１９９９年　５月２０日」（以下「刊行物３」という）に示されるように、プレーヤにダンスステップの踏み動作を誘導する手段と、それぞれ踏み動作を検出する手段を備える複数の踏み部が配設された踏み用基体とから、ダンスゲーム装置を構成することは既に知られているから、刊行物１記載の発明と単に組み合わせることで、上記相違点１は当業者が容易になし得る程度のものである。
  　
　上記相違点２について検討する。
　一連の動作によって消費されるカロリーの計算において、実際為された各動作を検出し、複数の動作タイプの中から該当するタイプを識別し、各タイプに対応して予め用意されたカロリーに関する数値から、各動作で消費されるカロリー値を求め、得られたカロリー値を逐次加算して、一連の動作で消費されたカロリー値を算出することは、上記刊行物２において開示されている他、例えば特開平８−１３１４２５号公報等にも示されており、既に周知である。また、同じタイプの動作であっても、動きの速さで消費されるカロリーが異なり、速いほど消費カロリーが大きいことは、日常的な体感からも明らかであるが、カロリー計算においても適宜考慮され、例えば前記特開平８−１３１４２５号公報にて示される「歩行時」のカロリー計算式は、「歩行ペース」に関する項を含み、速く歩くほど消費されるカロリーが増大するものである。（【００１５】〜【００１６】）
　刊行物１記載の発明、或いは刊行物１記載の発明と刊行物３のダンスゲーム装置との組み合わせにおいて、実際為された動作の結果消費されたカロリーの計算に上記周知のものを採用すれば、一連の動作とは複数の踏み部の間で実際為される踏み動作であり、各動作は連続する２回のステップを最小単位とするから、識別されるべき動作のタイプとは、前回と今回のステップ時における足の運びに関するタイプである。動きの速さは、前回と今回のステップの時間間隔が対応する。刊行物１の上記ウ．及び上記オ．には、複数の踏み部に備わる検出手段を用いて、踏み動作の正確度、反応速度、回数、速度、位置を把握することが記載されており、該検出手段を利用して、踏み動作のタイプの識別、踏み動作の時間間隔の計測を行うことは、当業者が適宜なし得る。また或いは、刊行物３のダンスゲーム装置は複数の踏み部からの検出信号を受けてステップの正確度を数値的に評価するものであるから、ステップ時の足の運びのタイプを識別し、ステップ動作の時間間隔を計測することに充分利用可能である。
　そして、カロリー計算において如何なる式を採用するかは、求める計算結果の精度、計算速度とともに、計算手段が備える記憶部の容量等、実施において使用する各種機器の種類、性能等に応じ、当業者が適宜設定するものであり、ここで、ステップ動作がきめ細かく、ステップの時間間隔ｔが短いほどカロリー値が増大し、逆にステップ動作がゆっくりで時間間隔ｔが長いほどカロリー値が減少する計算が行われるよう、先ず各ステップのタイプに対応して定数となるカロリーの基準値を用意し、該基準値から時間間隔ｔに比例する項が減算される式を構成すること、そして該項におけるｔの係数は、動作のタイプが異なれば単位時間に消費されるカロリー量も異なることは自明だから、各タイプに応じて重み付けされたものとすること等は、当業者が算出過程の単純化も考慮し行う設計的変更の範囲内である。
　以上より、上記相違点２は、刊行物２等に示される周知技術を採用して当業者が容易になし得る程度のものである。
　
　そして、本願発明の作用効果も、刊行物１乃至３記載の発明及び周知技術から当業者が予測できる範囲のものである。
　
５．むすび
　以上のとおり、本願発明は、その出願前に頒布された刊行物１乃至３記載の発明及び周知技術に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する